(57)【要約】【課題】広告シートを安定に保持し、またその着脱作業が簡単で取り扱い性が良く、さらに構造が簡単でコストが安い自動販売機の展示装置を提供する。  【解決手段】自動販売機の展示部３２において、可撓性を有したシート状の広告サンプル４３と、広告サンプル４３を支持するサンプル保持装置４１を備え、サンプル保持装置４１は、広告サンプル４３を装着する装着部４１ａと、装着される広告サンプル４３の左右側辺部および底辺部をその外側から覆うように設けられた案内支持部４１ｈ、４１ｉと、その上辺部と対向して前方斜め上方に突出する斜面４１ｊａを有し、広告サンプル４３の上方への移動を規制する突条部４１ｊとを備え、広告サンプル４３が撓むことにより突条部４１ｊを乗り越えて装着部４１ａに着脱可能なように、突条部４１ｊと広告サンプルの左右側辺部を覆う案内支持部４１ｈの上端とを、上下方向に間隔を設けて配置する。【選択図】図６
2008123073.tif 000002
【特許請求の範囲】
【請求項１】
販売商品の見本等を展示する自動販売機の展示部において、前記販売商品の見本や広告を表示する可撓性を有したシート状の広告サンプルと、前記広告サンプルを支持して前記展示部に展示するサンプル保持装置を備え、
前記サンプル保持装置は、前記広告サンプルを前面に案内支持する装着部と、前記装着部に装着される前記広告サンプルの左右側辺部および底辺部をその外側から覆うように前記前面の周囲に設けられた案内支持部と、前記装着部に装着される前記広告サンプルの上辺部と対向して、前記前面に前方斜め上方に突出する斜面を有して設けられ、前記広告サンプルの上方への移動を規制する突条部と、を備え、
前記広告サンプルが撓むことにより前記突条部を乗り越えて前記装着部に着脱可能なように、その前記広告サンプルの撓みを可能に前記突条部と前記広告サンプルの左右側辺部を覆う前記案内支持部の上端とが、上下方向に間隔を設けて配置されたことを特徴とする自動販売機の展示装置。
【請求項２】
前記装着部の前面が湾曲して設けられたことを特徴とする請求項１に記載の自動販売機の展示装置。
【発明の詳細な説明】
【技術分野】
【０００１】
本発明は、自動販売機の前面等に設けられた商品等の展示部に、シート状の販売商品の見本や広告等を表示するための自動販売機の展示装置に関する。
【背景技術】
【０００２】
従来のこの種の自動販売機としては、先に出願公開された特開２００５−３３２２５２号公報（特許文献１）に記載されるようなものが知られている。この自動販売機は、前扉の前面に、商品見本展示部およびこの展示部に展示された商品を選択的に指定する商品選択ボタンを備えたものであって、その商品見本展示部は、その商品展示棚上に複数の立体商品見本を並べて展示したり、或いはこれらの立体商品見本に代えて、その立体商品見本の数個分の大きさを有する箱状の広告ユニット等を載置して展示することが可能に構成されるものである。
【０００３】
このような自動販売機によれば、例えば、発光器を備える等の種々の機能を組み込んだ箱状の広告ユニットを立体商品見本に代えて適宜に商品展示棚上に展示することで、商品展示棚を利用して多様な広告キャンペーンを展開することが可能となるから、市場動向の変化に応じて消費者に対する商品の広告宣伝を効果的に行い、それにより集客性を高めることが可能な自動販売機を提供することができる。
【特許文献１】特開２００５−３３２２５２号公報
【発明の開示】
【発明が解決しようとする課題】
【０００４】
ところで、このような自動販売機の広告ユニットは、例えば図７に示すように、内部に多色発光可能な発光ユニットや制御回路等を組み込んだ箱型の筐体７１と、その筐体７１前面に開閉可能に設けられ、その前面を覆う透明な前カバー７２とを備え、その筐体７１前面と透明な前カバー７２との間に、予め商品の絵柄や広告文字等を表示したフイルム状の広告シート７５を挟み込み得るように構成されている。しかしながら、このような形態の広告ユニット７０においては、専ら広告シート７５を見栄え良く、目立つように展示するためにその構成が成されたので、その広告シート７５の取付、取外しに関して課題が残されていた。例えば、広告シート７５を装着する場合、先ず広告シート７５を筐体７１前面に添付し、その後に前カバー７２を閉じてその上面を覆うように被せるから、広告シート７５がその作業により筐体７１前面上で動いて位置ズレを起こしやすい。また、広告シート７５を筐体７１前面と透明な前カバー７２により前後から挟んで保持する構造であるため部品が多くコストが総じて高い等の問題があった。
【０００５】
本発明は、このような問題に対応するため、広告シートを安定に保持することが可能で、その構造が簡単でコストが安く、さらにはその広告シートの着脱作業が簡易に行えて取り扱い性の良い自動販売機の展示装置を提供することを目的とするものである。
【課題を解決するための手段】
【０００６】
上記課題を解決するため、請求項１に係る発明は、販売商品の見本等を展示する自動販売機の展示部において、前記販売商品の見本や広告を表示する可撓性を有したシート状の広告サンプルと、前記広告サンプルを支持して前記展示部に展示するサンプル保持装置を備え、前記サンプル保持装置は、前記広告サンプルを前面に案内支持する装着部と、前記装着部に装着される前記広告サンプルの左右側辺部および底辺部をその外側から覆うように前記前面の周囲に設けられた案内支持部と、前記装着部に装着される前記広告サンプルの上辺部と対向して、前記前面に前方斜め上方に突出する斜面を有して設けられ、前記広告サンプルの上方への移動を規制する突条部と、を備え、前記広告サンプルが撓むことにより前記突条部を乗り越えて前記装着部に着脱可能なように、その前記広告サンプルの撓みを可能に前記突条部と前記広告サンプルの左右側辺部を覆う前記案内支持部の上端とが、上下方向に間隔を設けて配置されたものである。
【０００７】
これによれば、前記広告サンプルは、常時は前記装着部の前面に前記案内支持部と前記突条部により案内されて安定に保持され、前記広告サンプルを着脱するときは、それを前記突条部を乗り越えるように撓ませて移動することで簡易に行える。また、前記サンプル保持装置の装着部は前記前面と前記案内支持部と前記突条部から構成されるから、その構造を簡単にすることができる。
【０００８】
また、請求項２に係る発明は、請求項１に記載の発明において、前記装着部の前面が湾曲して設けられたものである。
これによれば、前記広告サンプルは前記装着部の前面に沿って予め湾曲して保持されるから、それが容易に変形しないようにすることができる。
【発明の効果】
【０００９】
以上説明したように請求項１に係る発明によれば、本願発明の広告サンプルは、常時は装着部の前面に案内支持部と突条部により案内されて安定に保持され、それを着脱するときは、突条部を乗り越えるように撓ませて移動することで簡易に行えるから、広告サンプルの展示やその交換作業が容易で取り扱い性の良い自動販売機の展示装置を提供することができる。また、サンプル保持装置の構造を簡単にすることができるから、そのコストを安くすることができる。
【００１０】
また、請求項２に係る発明によれば、広告サンプルが容易に変形しないように展示することできるから、広告パネルを安定に展示して品質の良い自動販売機の展示装置を提供することができる。
【発明を実施するための最良の形態】
【００１１】
本発明の実施の形態について図を参照して説明する。図１は本発明の実施形態の自動販売機を示す正面図、図２は本発明の実施形態の自動販売機において前扉およびその背面の中扉を開いた状態を示す内部構造斜視図である。
図１、図２に示すように、この自動販売機は、販売商品を収納する商品コラム５を内部に備えて前面を開口した本体１と、本体１の前面開口を開閉自在に閉塞する前扉２とを備えている。また、前扉２の背面側には、その背面を覆うとともにその背面側を開放可能な中扉３が配設されている。
【００１２】
前扉２の前面には、３段に区画されて配置され、その内部に商品見本を展示する商品展示窓部７と、各商品展示窓部７内の商品見本と対応してその下方に配設された商品選択ボタン８と、最上段の商品展示窓部７の上方に設けられ販売促進用の商品や広告等を表示する商品情報表示部６と、その下方に配置され、その販売促進用の商品を選択するための商品選択予備ボタン９と、商品情報表示部６の上方にそれと区別して設けられ商品のロゴマーク等を表示する広告板部１０等が設けられている。そして、これらは一群を成して前扉２の左側に寄せて配置され表示部４を形成している。また、この表示部４の下方には、商品コラム５から搬出される販売商品を取り出すための取出口扉１８が設けられている。さらに、前扉２の前面右側には、商品を購入するための金銭を投入する硬貨投入口１１および紙幣挿入口１２と、釣銭等を返却する返却レバー１３と、釣銭硬貨等を返却する硬貨返却口１４と、前面扉を本体１に施錠するための鍵部１５と、投入金額や販売情報を表示するための表示器１６等からなる操作部１７が設けられている。ここで、前扉２の表示部４と操作部１７の境界には、上下方向に延設されたイルミネーションランプ２０が設けられている。
【００１３】
また、前扉２の裏側には、投入された硬貨や紙幣を識別する硬貨識別装置２１および紙幣識別装置２２と、投入された硬貨を貯留する硬貨金庫２３と、商品コラム５から払い出された商品が搬出される商品取出口２６が設けられている。また、表示部４の背面側には、各商品展示窓部7と、商品情報表示部６と、広告板部１０とにそれぞれ対応してその背面側に区画された展示室（展示部）３１、３２、３３と、これらを区画形成するための仕切部材３５ａ、３５ｂ、３５ｃ、３５ｄ、３５ｅが設けられている。
【００１４】
前扉２の背面側に設けられた中扉３の前面には、前扉２に設けられた各商品展示窓部７と、商品情報表示部６と、広告板部１０とにそれぞれ対応して形成される展示室３１、３２、３３の背面を成すようにディスプレイパネル３７が設けられ、そのディスプレイパネル３７には、それらの商品展示窓部７、商品情報表示部６、広告板部１０を背面側から照明するようにそれらと対向して横長のＬＥＤランプユニット４０ａ、４０ｂ、４０ｃ、４０ｄ、４０ｅが上下方向に複数段に並んで設けられている。また、中扉３の側面側には商品の販売価格設定等の各種設定を行うための入力キーボード２４が備えられ、その背面側には、本体１内に備えたものと同様の商品コラム５が設けられている。なお、商品コラム５は、たばこ等の箱型の商品を上下方向に積み重ねて収納するもので、その下部に最下位の商品を搬出する商品搬出装置２８が備えられている。そして、これらの商品コラム５から搬出される商品は、本体の下部に設けられた搬出シュート２７を介して、前扉２に設けられる商品取出口２６に送出される。
【００１５】
図３は、前扉の左側に設けられた表示部４の構造を示す側断面図、図４は商品情報表示部６を前扉２の背面側から見た斜視図である。図に示すように、商品情報表示部６は、アクリル樹脂等からなり前面の窓部を覆う透明板６ａを備えている。そして、透明板６ａの背面側に着脱自在に設けられたポスター保持板（サンプル保持装置）４１が設けられている。このポスター保持板４１は、その前面に販売商品の見本や広告等の絵柄が記載された可撓性を有するシート状の商品情報ポスター（広告サンプル）４３を重ねて差し入れ、商品情報表示部６の透明板６ａの背面側に装着することにより、前扉２の前面からその透明板６ａを介して商品情報ポスター４３の絵柄等を目視可能に展示するものである。また、商品情報ポスター４３とポスター保持板４１は光透過性部材からなり、商品情報表示部６と対向してディスプレイパネル３７に設けられたＬＥＤランプユニット４０ｄにより背面側から照明されるとき、商品情報ポスター４３が明るく表示される。なお、透明板６ａの背面側下方には、ポスター保持板４１を装着する底面部３４が設けられている。
【００１６】
また、図５は上下方向３段に構成される商品展示窓部７のうち上段または中段に位置する商品展示窓部７を前扉２の背面側から見た斜視図である。図に示すように、この商品展示窓部７は、商品情報表示部６と同様に前面の窓部を覆う透明板７ａを備えている。そして、この透明板７ａの背面側に着脱自在に商品見本保持具４５が設けられている。そして、この商品見本保持具４５の裏面に販売商品の見本等が記載された商品ラベル４７を装着し、それを商品展示窓部７の透明板７ａの背面側に装着することにより、前扉２の前面からその透明板７ａを介して商品ラベル４７に記載された販売商品の見本が目視可能に構成されている。なお、最下段に位置する商品展示窓部７には、商品ラベル４７を装着する商品見本保持具４５に代えて、立体形状の商品見本４６を展示可能とするサンプルホルダー３９（図３参照）が、中扉２のディスプレイパネル３７側に設けられている。なお、商品ラベル４７、商品見本保持具４５、立体形状の商品見本４６、サンプルホルダー３９等は光透過性部材からなり、商品展示窓部７に対向して設けられたＬＥＤランプユニット４０ａ、４０ｂ、４０ｃにより背面側から照明されるとき、各商品展示窓部７の展示室３１内において、商品ラベル４７に記載された販売商品の見本や、サンプルホルダー３９に保持された立体形状の商品見本４６が明るく表示される。
【００１７】
図６は、ポスター保持板４１を示す図で、（ａ）は正面図、（ｂ）は側面図、（ｃ）は（ａ）におけるＸ―Ｘ断面を示す平面断面図、（ｄ）は商品情報ポスター４３をポスター保持板４１の突条部４１ｊを乗り越えて着脱する状態を模式的に示す側面図である。図に示すように、このポスター保持板４１は、前面に商品情報ポスター４３を装着するポスター装着部（装着部）４１ａが形成され、その下部には係合突起４１ｄを２箇備えた底面４１ｂと、下方に突出する突部４１ｅを有する位置決め部４１ｃが形成されている。この底面４１ｂに設けられた係合突起４１ｄは、このポスター保持板４１を展示室３２に装着するとき、その底面部３４に設けられる切欠部２９ａ、２９ｂ（図４参照）と係合されて、ポスター保持板４１を所定の装着位置に確実に案内するものである。また、位置決め部４１ｃに設けられた突部４１ｅは、ポスター保持板４１が、展示室３２において商品情報表示部６の透明板６ａの背面側の所定の装着位置に案内されたとき、その底面部３４に設けられる位置決め穴（図示なし）に嵌め込まれて、これを装着位置に保持するものである。
【００１８】
また、ポスター装着部４１ａに装着される商品情報ポスター４３は、その左右側辺部をそれぞれ外側から覆って包み込むように溝部が形成された左右の案内支持部４１ｈと、同様にその底辺部を下側から覆うように溝部が形成された左右２箇所の底部案内支持部（案内支持部）４１ｉと、その上辺部と対向して斜め上方に傾斜する斜面４１ｊａが形成された突条部４１ｊとに囲まれて、ポスター装着部４１ａの前面４１ａａに安定に案内支持される。ところで、このようにポスター装着部４１ａの前面４１ａａに支持された商品情報ポスター４３を交換する場合は、商品情報ポスター４３を上方にスライド移動して突条部４１ｊを乗り越えるようにして取り外す。このとき、商品情報ポスター４３の上辺部は図６の（ｄ）に示すように突条部４１ｊの斜面４１ｊａに沿って案内され、その上部が手前側に撓むように変形するが、このポスター装着部４１ａに形成された左右の案内支持部４１ｈの上端と突条部４１ｊは、このような商品情報ポスター４３の撓みを可能にするように上下方向に間隔Ｄを設けて配置されているので、商品情報ポスター４３を上方にスライド移動して容易に取り外すことができる。なお、商品情報ポスター４３を取り付ける場合は、突条部４１ｊを乗り越えるようにして、その左右側辺部を左右の案内支持部４１ｈの溝部に差し込むようにして装着するが、商品情報ポスター４３は同様に撓んで変形可能であるから、その装着も容易に行うことができる。また、ポスター装着部４１ａの前面４１ａａは左右方向に湾曲して形成され、商品情報ポスター４３は、その前面４１ａａに沿って湾曲して装着されるから、その装着後は、例えば波打ったり、縒れたりしないで安定に展示される。
【００１９】
以上のように、本発明の自動販売機の展示装置によれば、商品情報ポスター４３は、常時はポスター装着部４１ａの前面４１ａａに左右の案内支持部４１ｈと、底部案内支持部４１ｉと、突条部４１ｊにより案内されて安定に保持され、商品情報ポスター４３を着脱するときは、それを突条部４１ｊを乗り越えるように移動することで簡易に行えるから、商品情報ポスター４３の展示やその交換作業が容易で取り扱い性の良い自動販売機の展示装置を提供することができる。
【００２０】
また、ポスター保持板４１のポスター装着部４１ａは、その前面４１ａａと左右の案内支持部４１ｈと底部案内支持部４１ｉと突条部４１ｊから構成されるから、その構造を簡単にすることができる。したがって、そのコストを安くすることができる。
また、ポスター装着部４１ａの前面４１ａａが湾曲して設けられることにより、商品情報ポスター４３はポスター装着部４１ａの前面４１ａａに沿って湾曲して保持されるから、それを容易に変形しないようにすることができる。したがって、広告パネルを安定に展示して品質の良い自動販売機の展示装置を提供することができる。
【００２１】
なお、本発明は、言うまでもなく本実施の形態に示す装置にのみ限定されず、その趣旨の包含する範囲で応用変更が可能である。
【図面の簡単な説明】
【００２２】
【図１】本発明の実施形態の自動販売機を示す正面図である。
【図２】本発明の実施形態の自動販売機において前扉およびその背面の中扉を開いた状態を示す内部構造斜視図である。
【図３】本発明の実施形態の自動販売機において前扉の左側に設けられた表示部の構造を示す側断面図である。
【図４】本発明の実施形態の自動販売機において、商品情報表示部を前扉の背面側から見た斜視図である。
【図５】本発明の実施形態の自動販売機において、上下方向３段に構成される商品展示窓部のうち上段または中段に位置する商品展示窓部を前扉の背面側から見た斜視図ある。
【図６】本発明の実施形態の自動販売機において、ポスター保持板を示す図で、（ａ）は正面図、（ｂ）は側面図、（ｃ）は（ａ）におけるＸ―Ｘ断面を示す平面断面図、（ｄ）は商品情報ポスターをポスター保持板の突条部を乗り越えて着脱する状態を模式的に示す側面図である。
【図７】従来の自動販売機に於ける商品展示装置の概略的な構造を示す図で、（ａ）は斜視図、（ｂ）は側断面図ある。
【符号の説明】
【００２３】
１  本体  
２  前扉
６  商品情報表示部
７  商品展示窓部
３２  展示室（展示部）
４１  ポスター保持板（サンプル保持装置）
４１ａ  ポスター装着部（装着部）
４１ｈ  案内支持部  
４１ｉ  底部案内支持部（案内支持部）
４１ｊ  突条部
４１ｊａ  斜面（突条部）
４６  （立体形状）商品見本
４７  商品ラベル
【図１】
2008123073.tif 000003
【図２】
2008123073.tif 000004
【図３】
2008123073.tif 000005
【図４】
2008123073.tif 000006
【図５】
2008123073.tif 000007
【図６】
2008123073.tif 000008
【図７】
2008123073.tif 000009